(57)【要約】【課題】送風手段や冷却手段の負荷を低減することが可能であり、また、第１空間の全体に適正な温度の空気を提供する事が可能であり、また、加熱手段の稼働やメンテナンスに手間や費用を削減する事が可能な空調システムを提供すること。【解決手段】空調システム１は、第１空間Ｅ１から、第２空間Ｅ２を介して、第２空間Ｅ２以外の空間へと空気を流動させる空調システム１であって、第１空間Ｅ１と第２空間Ｅ２とを相互に区画する角パイプ８０と、第１空間Ｅ１に光を照射する照明装置３０と、第１空間Ｅ１から第２空間Ｅ２に至る空気を冷却する熱交換器６０と、を備え、第２空間Ｅ２を流動する空気に照明装置３０の顕熱を回収させる事を可能とした。【選択図】図２
2016138723.tif 000002
【特許請求の範囲】
【請求項１】
第１空間から、第２空間を介して、前記第２空間以外の空間へと空気を流動させる空調システムであって、
前記第１空間と前記第２空間とを相互に区画する区画手段と、
前記第１空間に光を照射する照明手段と、
前記第１空間から前記第２空間に至る空気を冷却する冷却手段と、を備え、
前記第２空間を流動する空気に前記照明手段の顕熱を回収させる事を可能とした、
空調システム。
【請求項２】
前記区画手段は、中空の管状体であり、
前記第２空間は、前記管状体の内部空間であり、
前記照明手段を前記管状体の外表面又は内表面に設置することにより、前記管状体の内部空間を流動する空気に前記照明手段の顕熱を回収させる事を可能とした、
請求項１に記載の空調システム。
【請求項３】
前記第２空間における空気の出口を、前記第２空間における空気の入口よりも低い位置に配置することによって、前記第２空間における空気の流動を可能とした、
請求項１又は２に記載の空調システム。
【請求項４】
前記第２空間を流動することによって前記照明手段の顕熱を回収した空気を、前記第２空間以外の空間へと送風する送風手段を備える、
請求項１から３のいずれか一項に記載の空調システム。
【請求項５】
前記第１空間には植物が配置され、
前記照明手段は、前記植物に光を照射する、
請求項１から４のいずれか一項に記載の空調システム。
【発明の詳細な説明】
【技術分野】
【０００１】
本発明は、空調システムに関する。
【背景技術】
【０００２】
従来、植物等の育成や貯蔵を、当該植物等に適した人工環境下で行うことができるようにした人工環境装置が提案されている（例えば、特許文献１参照）。図１１は、従来技術に係る人工環境装置における空気の温湿度の推移を示す湿り空気線図である。この図１１において、従来技術に係る人工環境装置における空気の温湿度の推移を点線の矢印で図示しており、横軸は乾球温度［℃］を示し、縦軸は絶対湿度［ｇ／ｋｇＤＡ］を示している。この図１１に示すように、特許文献１のような人工環境装置では、概略的に、まずは冷凍機で空気を除湿冷却し（図１１の点Ｑ１）、除湿冷却した空気を何らかの加熱手段（例えば加熱器）で植物に適正な温度まで加熱する（図１１の点Ｑ２）。次に、植物及び照明装置を内部に収容する棚の内部に空気を流動させる事で、植物の潜熱と照明装置の顕熱を同時に空気に吸収させる（図１１の点Ｑ３）。そして、棚を通過した空気を再度冷凍機で除湿冷却し（図１１の点Ｑ１）、以降同様の処理を繰り返し実行する。
【先行技術文献】
【特許文献】
【０００３】
【特許文献１】特開平１１−９８９２４号公報
【発明の概要】
【発明が解決しようとする課題】
【０００４】
しかし、上記に示す従来の人工環境装置では、適正な温度まで加熱した空気を植物が配置された空間（すなわち、棚の内部空間）に供給した場合、当該空気は照明装置の顕熱の多くを吸収して温度が上昇してしまった（図１１の点Ｑ３）。このような温度上昇を抑えるために、ファンの如き送風手段の送風量を増大させたり、冷凍機の能力を増大させたりする必要があり、送風手段や冷凍機の負荷が増大してしまう可能性があった。
【０００５】
また、上記に示す従来の人工環境装置では、除湿冷却した空気を植物の育成に適正な温度まで加熱するために何らかの加熱手段が必須となるため、加熱手段の稼働やメンテナンスに手間や費用を要していた。
【０００６】
したがって、送風手段や冷凍機の負荷を低減することが可能であり、また、棚の内部空間の全体に適正な温度の空気を提供可能であり、また、加熱手段の稼働やメンテナンスに手間や費用を削減する事が可能な空調システムが要望されていた。
【０００７】
本発明は、上記に鑑みてなされたものであって、送風手段や冷却手段（上記の冷凍機に対応する手段）の負荷を低減することが可能であり、また、第１空間（上記の植物や照明装置が配置された棚の内部空間に対応する空間）の全体に適正な温度の空気を提供する事が可能であり、また、加熱手段の稼働やメンテナンスに手間や費用を削減する事が可能な空調システムを提供する事を目的とする。
【課題を解決するための手段】
【０００８】
上述した課題を解決し、目的を達成するために、請求項１に記載の空調システムは、第１空間から、第２空間を介して、前記第２空間以外の空間へと空気を流動させる空調システムであって、前記第１空間と前記第２空間とを相互に区画する区画手段と、前記第１空間に光を照射する照明手段と、前記第１空間から前記第２空間に至る空気を冷却する冷却手段と、を備え、前記第２空間を流動する空気に前記照明手段の顕熱を回収させる事を可能とした。
【０００９】
請求項２に記載の空調システムは、請求項１に記載の空調システムにおいて、前記区画手段は、中空の管状体であり、前記第２空間は、前記管状体の内部空間であり、前記照明手段を前記管状体の外表面又は内表面に設置することにより、前記管状体の内部空間を流動する空気に前記照明手段の顕熱を回収させる事を可能とした。
【００１０】
請求項３に記載の空調システムは、請求項１又は２に記載の空調システムにおいて、前記第２空間における空気の出口を、前記第２空間における空気の入口よりも低い位置に配置することによって、前記第２空間における空気の流動を可能とした。
【００１１】
請求項４に記載の空調システムは、請求項１から３のいずれか一項に記載の空調システムにおいて、前記第２空間を流動することによって前記照明手段の顕熱を回収した空気を、前記第２空間以外の空間へと送風する送風手段を備える。
【００１２】
請求項５に記載の空調システムは、請求項１から４のいずれか一項に記載の空調システムにおいて、前記第１空間には植物が配置され、前記照明手段は、前記植物に光を照射する。
【発明の効果】
【００１３】
請求項１に記載の空調システムによれば、冷却手段にて除湿冷却されて第２空間を流動する空気に、照明手段の顕熱を回収させるので、第１空間における照明装置の顕熱を低減することにより第１空間から冷却手段に至る空気の温度を低減する事ができ、送風手段や冷却手段の負荷を低減することが可能であると共に、第１空間の全体に適正な温度の空気を提供する事が可能となる。また、第１空間から、第２空間を介して、第１空間へと空気を流動させる場合には、加熱器等の加熱手段を設ける事無く照明装置の顕熱を利用して第１空間に適切な温度の空気を提供することができるので、加熱手段の稼働やメンテナンスに手間や費用を削減する事が可能となる。
【００１４】
請求項２に記載の空調システムによれば、照明手段を管状体の外表面又は内表面に設置するので、極めて簡素な構成により第２空間を流動する空気に顕熱を回収させる事が可能となる。
【００１５】
請求項３に記載の空調システムによれば、第２空間における空気の出口を、第２空間における空気の入口よりも低い位置に配置することによって第２空間の空気を流動させるので、第２空間における空気を流動させるためのファン等の送風手段を設ける事なく空気を流動させる事ができ、送風手段の稼働やメンテナンスに手間や費用を削減する事が可能となる。
【００１６】
請求項４に記載の空調システムによれば、送風手段を備えるので、極めて簡素な構成により第２空間に空気を流動させる事が可能となる。
【００１７】
請求項５に記載の空調システムによれば、第１空間には植物が配置され、照明手段はこの植物に光を照射するので、植物の育成に適した環境を構築する事が可能となる。
【図面の簡単な説明】
【００１８】
【図１】本発明の実施の形態に係る空調システムを示す斜視図である。
【図２】植物栽培装置を概略的に示す正面図である。
【図３】図２の要部拡大図である。
【図４】本発明の実施の形態に係る空調システムにおける空気の状態の推移を示す湿り空気線図である。
【図５】本発明の実施の形態２に係る植物栽培装置を概略的に示す正面図である。
【図６】本発明の実施の形態３に係る植物栽培装置を概略的に示す正面図である。
【図７】本発明の実施の形態４に係る植物栽培装置を概略的に示す正面図である。
【図８】第１の変形例に係る空調システムを概略的に示す正面図である。
【図９】第２の変形例に係る植物栽培システムを示す斜視図である。
【図１０】植物栽培棚を前方に移動させた際の植物栽培システムを示す斜視図である。
【図１１】従来技術に係る人工環境装置における空気の状態の推移を示す湿り空気線図である。
【発明を実施するための形態】
【００１９】
以下、本発明に係る空調システムの実施の形態について図面を参照しつつ詳細に説明する。ただし、この実施の形態によって本発明が限定されるものではない。
【００２０】
［実施の形態の基本的概念］
まずは、実施の形態の基本的概念について説明する。実施の形態は、概略的に、第１空間から、第２空間を介して、第２空間以外の空間へと空気を流動させる空調システムに関する。ここで、「第１空間」とは、当該空調システムにおける空調の対象となる空間である。この第１空間の用途は任意であり、例えば居室や倉庫等であっても構わないが、実施の形態においては、栽培対象となる植物が配置された空間であるものとして説明する。また、「第２空間」とは、第１空間を通過した空気が次に流動する空間であって、第１空間と相互に区画された空間である。また、「第２空間以外の空間」とは、第２空間以外のあらゆる空間を含む概念であり、例えば屋外の空間や、第１空間等を含む。
【００２１】
また、当該空調システムが設けられる場所については任意であり、例えば植物の栽培を主目的とする植物栽培工場に限らず、レストランやカフェや公園等といった植物の栽培を主目的としない空間に設けても構わない。ここで、植物を生育するためには、植物の周辺に空気の流れが存在する事が望ましい。すなわち、植物が光合成を行うと葉の表面等に酸素が蓄積するが、葉から二酸化炭素が取り入れられるためにはこのような蓄積した酸素を除去するために空気の流れが必要となる。また、このように植物の周辺に流れる空気は、植物の育成に適正な温度の空気である事を要する。そこで、本実施の形態に係る空調システムは、植物の周辺に、植物の育成に適正な温度の空気の流れを供給する事を主な目的とする。
【００２２】
［実施の形態の具体的内容］
次に、各実施の形態の具体的内容について説明する。
【００２３】
（実施の形態１）
初めに、実施の形態１について説明する。
【００２４】
（構成）
最初に、本実施の形態１に係る空調システム１の構成について説明する。図１は、本実施の形態１に係る空調システム１を示す斜視図である。この図１に示すように、空調システム１は、複数の植物栽培棚２を備えて構成されている。なお、以下の説明では、各図のＸ−Ｘ´方向を幅方向（Ｘ方向を右方、Ｘ´方向を左方）、Ｙ−Ｙ´方向を奥行き方向（Ｙ方向を前方、Ｙ´方向を後方）、Ｚ−Ｚ´方向を高さ方向（Ｚ方向を上方、Ｚ´方向を下方）、と称する。
【００２５】
ここで、植物栽培棚２の内部には複数の植物５が配置される。この植物５は、当該空調システム１の栽培の対象となる植物であって、鑑賞や販売等を目的として栽培される。この植物５とは、動物以外の生物を指し、その品種や大きさ等は問わず任意の植物５を適用する事ができる。例えば、植物５として、コケ植物、シダ植物、種子植物等といった任意の植物を用いる事が可能である。なお、本実施の形態１において、植物５は種子植物の苗であるものとして説明するが、発芽する前の種等であっても構わない。
【００２６】
（構成−植物栽培棚）
植物栽培棚２は、複数の植物栽培装置１０を格納する棚であって、床面の上に並設されている。この植物栽培棚２の数は任意であり、栽培する植物５の数や大きさ等に応じて決定して良いが、本実施の形態１においては、図示のように、奥行き方向に沿って３つの植物栽培棚２が並設されている。また、植物栽培棚２の大きさや形状についても任意であり、栽培する植物５の数や大きさ等に応じて決定して良いが、本実施の形態１においては、幅方向に長い直方体形状に形成されているものとして説明する。なお、各植物栽培棚２はいずれも相互に同一に形成されているため、以下では特記する場合を除いて一つの植物栽培棚２にのみ注目して説明する。
【００２７】
ここで、植物栽培棚２の内部には、水平面に沿った複数（図１においては４つ）の区画部材２ａが高さ方向に沿って並設されており、この区画部材２ａによって植物栽培棚２の内部の空間が複数（図１においては５つ）の空間に区画されている。そして、これら複数の空間のそれぞれの内部には、後述する植物栽培装置１０の一部が配置されている。なお、区画部材２ａの数については任意であり、栽培する植物５の数や大きさ等に応じて決定して良い。
【００２８】
また、植物栽培棚２を構成する部材については任意の部材を用いる事ができるが、植物栽培棚２のいずれかの方向から植物栽培棚２の内部を視認可能である事がメンテナンス上望ましい。例えば、本実施の形態１においては、上面、下面、右側面、及び左側面は、金属合板等の強度の高い不透明の部材で形成され、前面及び後面は、アクリル板等の透明の部材で形成されている。また、この前面及び後面のアクリル板は植物栽培棚２に対して着脱自在又は開閉自在に構成しても良く、このアクリル板を取り外したり開けたりすることで、植物栽培棚２の内部に配置された各装置のメンテナンスを行ったり、植物５に水を供給したりする事ができる。
【００２９】
（構成−植物栽培装置）
次に、植物栽培棚２に設けられた各植物栽培装置１０について説明する。なお、各植物栽培装置１０はいずれも同様に構成する事ができるため、以下では単一の植物栽培装置１０にのみ着目して説明する。ここで、図１に示すように、植物栽培装置１０は、区画部材２ａにより区画された各空間に略配置されており、本実施の形態１においては一つの植物栽培棚２に、複数の植物栽培装置１０が高さ方向に沿って略並設されている。なお、このような区画部材２ａにより区画された各空間を、以下では「植物栽培装置１０の内部」と称して説明する。
【００３０】
ここで、図２は、植物栽培装置１０を概略的に示す正面図である。なお、図２では空気の流れを点線で図示している。この図２に示すように、植物栽培装置１０は、培養液２０、照明装置３０、冷媒冷却器４０、冷媒管５０、熱交換器６０、ドレン回収供給部７０、角パイプ８０、及び送風ファン９０を備えて構成されている。なお、図示のように、植物栽培装置１０の内部には、植物５、及び照明装置３０を１つのセットとして、幅方向に沿って複数のセットが並設されている。このセットの数は任意であり、植物栽培棚２の大きさに応じた数のセットを設ける事ができるが、本実施の形態１では、３つのセットを設けるものとする（図２においては、図示の便宜上、図１よりも少ない数のセットとしている）。ここで、各セットはいずれも同様に形成されているため、以下では、特記する場合を除いて、これら複数のセットのうち一つのセットにのみ注目して説明する。なお、当該セットの数は任意であり、植物栽培棚２の幅に応じて任意の数のセットを配置して構わない。
【００３１】
培養液２０は、植物５に水分や養分を与えるための手段であって、植物５に水分や養分を与える事が可能である限り任意に構成する事ができる。この培養液は、植物栽培装置１０の底部全体にわたって配置されており、植物栽培棚２の幅方向の一方の端部から供給されて、他方の端部から排水されることにより、僅かな流れを有する水として構成されている。
【００３２】
そして、培養液２０の水面には、培養トレイ２１が浮いている。この培養トレイ２１は、植物５が植えられる土台となる土台手段である。具体的には、培養トレイ２１は、水に浮く板状体に形成されており、当該培養トレイ２１の板面を貫通するように、複数の孔（図示省略）が形成されている。そして、各植物５は、この培養トレイ２１の上に載置された状態で、根のみを当該孔を介して培養液２０へと垂下させている。ここで、この培養トレイ２１は、上述した培養液２０の流れによって、植物栽培棚２の内部を一定の方向に低速で流動するものとしても良いし、流動しないものとしても良い。
【００３３】
照明装置３０は、植物５に対して光を照射する照明手段である。この照明装置３０は、植物栽培装置１０の内部における角パイプ８０に対して、幅方向に沿って３つ取り付けられており、各照明装置３０はそれぞれ植物５の真上に位置する。そして、当該照明装置３０は、人工光を植物５に対して照射することにより、植物５の生育を促進する。この照明装置３０は、植物５の光合成に必要な波長の光を照射する事が可能な限り任意に構成可能であり、本実施の形態１ではＬＥＤ（Light Emitting Diode）照明で構成されるが、例えば、有機エレクトロルミネッセンス、蛍光灯、又は白熱灯等の他の公知の照明で構成しても良い。ここで、図３は、図２の要部拡大図である。この図３に示すように、照明装置３０のうち、主に光源となる部分（例えば、ＬＥＤ３１等）は、角パイプ８０の外周部（すなわち、第１空間Ｅ１側）に設置されており、主に熱源となる部分（例えば、電源回路３２等）は、角パイプ８０の内周部（すなわち、第２空間Ｅ２側）に設置される事が好ましい。なお、ＬＥＤ３１と、電源回路３２とは角パイプ８０に設けられた孔を介して相互に電気的に接続されている。このように熱源を第２空間Ｅ２側に配置する事で、電源回路３２で発生する熱が、第２空間Ｅ２に直接取り入れられてしまう事を抑止する事が可能となる。
【００３４】
冷媒冷却器４０は、冷媒管５０の内部を流動する冷媒を冷却する冷媒冷却手段である。この冷媒冷却器４０の配置は任意であり、植物栽培装置１０の内部又は外部のいずれでも構わないが、冷媒冷却器４０自体の熱が植物栽培装置１０の内部に行き渡らないように、植物栽培装置１０の外部（例えば各植物栽培棚２の上面）に設ける事が望ましい。また、冷媒の種類は任意であり、本実施の形態１では冷媒として冷水を用いるものとして説明するが、これに限らず、冷媒として他の液体や気体等を用いても構わない。また、冷媒冷却器４０が冷媒を冷却する仕組みについては公知であるため、詳細な説明を省略する。
【００３５】
冷媒管５０は、冷媒冷却器４０により冷却された冷媒（本実施の形態１においては、冷水）を植物栽培棚２の内部に配置された熱交換器６０に流動させると共に、熱交換器６０にて熱交換された冷媒を冷媒冷却器４０に流動させるための冷媒流動手段である。この冷媒管５０は、図２に示すように、植物栽培棚２の左側方において、高さ方向に沿って配置されている。そして、冷媒管５０は、各植物栽培装置１０の側方にて分岐しており、分岐された冷媒管５０は、植物栽培棚２の側面や後面に設けられた孔（図示省略）を通って、植物栽培装置１０の内部に取り入れられ、熱交換器６０と相互に接続されている。このようにして、冷媒管５０は、冷媒冷却器４０と、熱交換器６０とを相互に接続しており、冷媒冷却器４０から熱交換器６０へ、又は熱交換器６０から冷媒冷却器４０へと冷媒を流動させる。
【００３６】
ここで、冷媒管５０の外周には図示しない断熱材が巻付けられており、この断熱材により、冷媒冷却器４０で冷却された冷媒が、熱交換器６０に到達するまでの間において、空気と熱交換されてしまい冷熱が失われてしまう事を防止できる。
【００３７】
熱交換器６０は、植物栽培装置１０の内部の空気の冷却を行う冷却手段である。この熱交換器６０は、角パイプ８０の一方の端部（以下、入口側端部）の周辺に配置されており、照明装置３０の顕熱や植物５の潜熱を処理可能に構成されている。この熱交換器６０は、具体的には、冷媒管５０の管内を流れる冷媒によって管外の空気を除湿冷却する公知の冷却コイルや冷却配管として構成する事が可能である。なお、冷却手段として空気の冷却を行う機能以外の機能（例えば、除湿機能）を有する機器を用いても良い。また、以上のような熱交換器６０の具体的な構成については公知であるため、詳細な説明を省略する。
【００３８】
ドレン回収供給部７０は、熱交換器６０による空気の冷却に伴って発生するドレンを回収して、当該回収したドレンを植物５に供給するドレン回収供給手段である。このドレン回収供給部７０は、熱交換器６０の下方、かつ植物５の側方の位置に配置されており、概略的に、ドレン受け部７１、及びドレン配管７２を備えている。
【００３９】
ドレン受け部７１は、熱交換器６０のドレンを受け止めて回収するドレン回収手段であって、熱交換器６０の真下に配置されており、ドレン配管７２の上端に支持されている。このドレン受け部７１は、熱交換器６０のドレンを受け止め易いような形状が望ましく、本実施の形態１では、上面に開口面を有する中空の箱型形状体に形成されている。ドレン配管７２は、ドレン受け部７１で回収したドレンを植物５に供給するドレン供給手段である。このドレン配管７２は、ドレン受け部７１の底部に設けられた孔から、培養液２０に至るように配置された配管であって、ドレン受け部７１により回収されたドレンは、当該ドレン配管７２を通って培養液２０として補給される。なお、ドレンが直接植物５にかからないように、ドレン配管７２の位置等を調節する事が好ましい。また、必ずしもドレンを培養液２０として補給する必要はなく、ドレンを当該植物栽培装置１０から取り除いても構わない。
【００４０】
角パイプ８０は、第１空間Ｅ１と第２空間Ｅ２とを相互に区画する区画手段であって、この角パイプ８０の内部空間が第２空間Ｅ２として構成され、植物栽培装置１０の内部における角パイプ８０の外部空間（植物５が配置された空間）が第１空間Ｅ１として構成される。この角パイプ８０は、植物栽培装置１０の内部における植物５の上方に、幅方向に沿って、両端部の開口を植物栽培棚２の内面で塞がないように配置されている。このような位置に角パイプ８０を配置する方法は任意であり、例えば植物栽培棚２の内部の上面からワイヤー等で吊り下げても良い。また、この角パイプ８０の具体的な形状や大きさは、角パイプ８０の内部空間に空気が流動可能な限りにおいて任意であり、本実施の形態１では、長手方向の長さが植物栽培棚２の幅よりも短い、角管形状体として形成されているものとして説明する。また、角パイプ８０の素材は、照明装置３０の顕熱が角パイプ８０の内部空間に伝わる限りにおいて任意の素材を用いてよく、例えばガラス、プラスチック、鉄などを用いて構成できる。
【００４１】
送風ファン９０は、角パイプ８０の内部空間（第２空間Ｅ２）の空気を、第１空間Ｅ１へと送風する送風手段である。この送風ファン９０は、角パイプ８０における熱交換器６０と反対側の端部（以下、出口側端部）に配置されて、角パイプ８０の内部に空気を流動させる公知のファンである。なお、本実施の形態１においては、当該送風ファン９０を永続的に稼働するものとして説明するが、例えば所定の時間（例えば１０秒）毎に稼働と非稼働とを切換える間欠運転を行うものとしても良い。
【００４２】
また、上記の各構成要素の他に図示しない二酸化炭素供給装置を設けても良い。この二酸化炭素供給装置は、植物５が光合成する上で必要な二酸化炭素を区画空間に供給するための装置であって、公知の方法で作成した二酸化炭素を、管等を介して植物栽培装置１０の内部に供給するものである。なお、このような二酸化炭素供給装置の具体的な構成については公知であるため、詳細な説明を省略する。
【００４３】
（作用）
続いて、本実施の形態１に係る空調システム１の作用について説明する。図４は、本実施の形態１に係る空調システム１における空気の状態の推移を示す湿り空気線図である。この図４において、従来技術に係る人工環境装置における空気の温湿度の推移を点線の矢印で図示しており、本実施の形態１に係る空調システム１における空気の温湿度の推移を実線の矢印で図示している。また、図４の横軸は乾球温度［℃］を示し、縦軸は絶対湿度［ｇ／ｋｇＤＡ］を示している。
【００４４】
以下では、この図４及び上述した図２を適宜参照して説明する。ここで、この空調システム１は、概略的に、角パイプ８０の内部空間に流動させる空気に照明装置３０の顕熱を回収させることによって、熱交換器６０の顕熱負荷を低減し、第１空間Ｅ１の全体を植物５の育成に適正な温度に維持し、さらに、加熱手段を省略するものである。
【００４５】
具体的には、まず、送風ファン９０の機能によって、図２の点線の矢印のような空気の流れが形成される。すなわち、熱交換器６０を通過した空気は、角パイプ８０の入口側端部から角パイプ８０の内部空間（第２空間Ｅ２）へと取り入れられ、角パイプ８０の出口側端部から送り出されて植物５が配置された空間（第１空間Ｅ１）へと流動し、再度熱交換器６０を通過する。
【００４６】
次に、このような空気の流れが形成される場合における各部の空気の温湿度について説明する。まず、空気は熱交換器６０を通過して除湿冷却され、角パイプ８０の入口側端部の付近の位置（図２及び図４の点Ｐ１）に至る。次に、除湿冷却された空気は、角パイプ８０の入口側端部から角パイプ８０の内部空間に取り入れられ、角パイプ８０の内部空間を通過して、角パイプ８０の出口側端部の付近の位置に至る（図２及び図４の点Ｐ２）。このように角パイプ８０の内部空間を通過する際には、空気は照明装置３０の顕熱を回収し、植物５の育成に適正な温度まで加熱される。この際に角パイプ８０の出口側端部から送り出される空気の温度が適正な温度となるように、照明装置３０の数、又は角パイプ８０の長さや素材等を調節する事が望ましい。例えば角パイプ８０の長さを増大させるために、角パイプ８０を大きく湾曲させたり、螺旋状に形成したりしても良い。このように、照明装置３０の顕熱を利用して空気の温度を適正な温度に調節するので、加熱器等の加熱手段を設けることなく温度の調節が可能となる。
【００４７】
そして、角パイプ８０から送り出された空気は、照明装置３０の顕熱と、植物５の潜熱とを回収しながら第１空間Ｅ１を通過して、熱交換器６０の入口側付近の位置（図２及び図４の点Ｐ３）まで流動する。ここで、図４において従来技術と比べると明らかなように、本実施の形態１では、照明装置３０の顕熱の大部分を、第２空間Ｅ２を流動する空気に回収させるので、第１空間Ｅ１を流動する空気の温度上昇を抑制することができる。すなわち、図４に示すように、本実施の形態１の点Ｐ２の位置と点Ｐ３の位置との温度差を、従来技術の点Ｑ２の位置と点Ｑ３の位置との温度差と比べて小さくすることができ、第１空間Ｅ１の全体を植物５の育成に適正な環境とする事が可能となる。また、本実施の形態１における熱交換器６０の入口付近の位置（点Ｐ３）の温度は、従来技術における対応する位置（点Ｑ３）の温度より低くなるため、熱交換器６０の負荷を低減する事が可能となる。
【００４８】
また、ドレン回収供給部７０は、熱交換器６０にて空気の冷却を行うことにより発生したドレンを、ドレン受け部７１にて受け止め、ドレン配管７２を介して植物５に供給する事ができる。したがって、培養液２０の量をドレンで補完する事ができるため、植物５の栽培に必要な培養液２０の量を削減する事が可能となり、費用を削減する事が可能となる。以上にて、本実施の形態１に係る空調システム１の作用の説明を終了する。
【００４９】
（実施の形態１の効果）
このように、本実施の形態１に係る空調システム１によれば、熱交換器６０にて除湿冷却されて第２空間Ｅ２を流動する空気に、照明装置３０の顕熱を回収させるので、第１空間Ｅ１における照明装置３０の顕熱を低減することにより第１空間Ｅ１から熱交換器６０に至る空気の温度を低減する事ができ、送風ファン９０や熱交換器６０の負荷を低減することが可能であると共に、第１空間Ｅ１の全体に適正な温度の空気を提供する事が可能となる。また、第１空間Ｅ１から、第２空間Ｅ２を介して、第１空間Ｅ１へと空気を流動させる場合には、加熱器等の加熱手段を設ける事無く照明装置３０の顕熱を利用して第１空間Ｅ１に適切な温度の空気を提供することができるので、加熱手段の稼働やメンテナンスに手間や費用を削減する事が可能となる。
【００５０】
また、照明装置３０を角パイプ８０の外表面又は内表面に設置するので、極めて簡素な構成により第２空間Ｅ２を流動する空気に顕熱を回収させる事が可能となる。
【００５１】
また、送風ファン９０を備えるので、極めて簡素な構成により第２空間Ｅ２に空気を流動させる事が可能となる。
【００５２】
また、第１空間Ｅ１には植物５が配置され、照明装置３０はこの植物５に光を照射するので、植物５の育成に適した環境を構築する事が可能となる。
【００５３】
（実施の形態２）
次に、実施の形態２について説明する。ただし、特に説明なき構成においては実施の形態１と同様であるものとして説明を省略し、実施の形態１と同様の構成要素には、必要に応じて、実施の形態１で使用したものと同一の符号を付する。
【００５４】
（構成）
最初に、本実施の形態２に係る空調システム１００の構成を説明する。空調システム１００は、複数の植物栽培棚２を備えて構成されており、植物栽培棚２には植物栽培装置１１０が形成されている。ここで、図５は、本実施の形態２に係る植物栽培装置１１０を概略的に示す正面図である。この図に示すように、植物栽培装置１１０は、培養液２０、照明装置３０、冷媒冷却器４０、冷媒管５０、熱交換器６０、ドレン回収供給部７０、遮蔽板１２０、及び送風ファン９０を備えて構成されている。なお、本実施の形態２においては、実施の形態１における角パイプ８０の代わりに遮蔽板１２０が設けられており、他の構成については実施の形態１と同様であるため説明を省略する。
【００５５】
（構成−遮蔽板）
遮蔽板１２０は、第１空間Ｅ１と第２空間Ｅ２とを相互に区画する区画手段であって、この遮蔽板１２０の下部空間が第１空間Ｅ１として構成され、遮蔽板１２０の上部空間が第２空間Ｅ２として構成される。この遮蔽板１２０は、植物栽培装置１１０の内部における植物５の上方に、水平面に沿って配置された長板形状の板材であって、四方の側面が植物栽培棚２の内面に接するように固定されている。ここで、遮蔽板１２０の左右の端部には遮蔽板１２０を上下に貫通する貫通孔１２１が形成されており、当該貫通孔１２１を介して第１空間Ｅ１と第２空間Ｅ２との相互間を空気が流動可能となっている。また、遮蔽板１２０の素材は、照明装置３０の顕熱が第２空間Ｅ２に伝わる限りにおいて任意の素材を用いてよく、例えばガラス、プラスチック、鉄などを用いて構成できる。
【００５６】
なお、本実施の形態２に係る空調システム１００の作用については、実施の形態１と同様に説明できるので、説明を省略する。
【００５７】
（実施の形態２の効果）
このように、本実施の形態２に係る空調システム１００によれば、遮蔽板１２０により極めて簡素な構成により第１空間Ｅ１と第２空間Ｅ２とを相互に区画する事が可能となる。
【００５８】
（実施の形態３）
次に、実施の形態３について説明する。ただし、特に説明なき構成においては実施の形態１と同様であるものとして説明を省略し、実施の形態１と同様の構成要素には、必要に応じて、実施の形態１で使用したものと同一の符号を付する。
【００５９】
（構成）
最初に、本実施の形態３に係る空調システム１３０の構成を説明する。空調システム１３０は、複数の植物栽培棚２を備えて構成されており、植物栽培棚２には植物栽培装置１４０が形成されている。図６は、本実施の形態３に係る植物栽培装置１４０を概略的に示す正面図である。
【００６０】
そして、図６に示すように、植物栽培装置１４０は、培養液２０、照明装置３０、冷媒冷却器４０、冷媒管５０、熱交換器６０、ドレン回収供給部７０、及び角パイプ１５０を備えて構成されている。なお、以上の角パイプ１５０以外の各構成要素については、実施の形態１と同様に構成されているため説明を省略する。
【００６１】
（構成−角パイプ）
角パイプ１５０は、第１空間Ｅ１と第２空間Ｅ２とを相互に区画する区画手段であって、この角パイプ１５０の内部空間が第２空間Ｅ２として構成され、植物栽培装置１４０の内部における角パイプ１５０の外部空間（植物５が配置された空間）が第１空間Ｅ１として構成される。この角パイプ１５０は、植物栽培装置１４０の内部における植物５の上方に、幅方向に略沿って配置されており、出口側端部が植物栽培棚２の内面に接触しないように配置されている。ここで、角パイプ１５０は入口側端部よりも出口側端部が低い位置に配置されるように傾けられて配置されている。
【００６２】
ここで、角パイプ１５０の熱交換器６０側の端部は、熱交換器６０で冷却されて下方へ向かう空気を角パイプ１５０の内部に取り入れつつ、熱交換器６０で発生したドレンがドレン受け部７１に落ちるような工夫が施されている。具体的には、図６に示すように、角パイプ１５０の下方の側面が熱交換器６０の下方にまで伸びており、角パイプ１５０の傾斜を降りた先には角パイプ１５０を上下に貫通するパイプ孔１５１が形成されている。このような構成により、熱交換器６０で冷却されて下方へ向かう空気は角パイプ１５０の下方の側面を伝って角パイプ１５０の内部に取り入れられ、ドレンは傾斜を降りて、パイプ孔１５１から落ちてドレン受け部７１に回収される。
【００６３】
（作用）
続いて、本実施の形態３に係る空調システム１３０の作用について説明する。まず、熱交換器６０で冷却されて密度が上がった空気は、下降して角パイプ１５０に取り入れられる。この際に、上述したように角パイプ１５０は入口側端部よりも出口側端部が低い位置にあるので、角パイプ１５０の内部空間の空気は自然対流によって入口側端部から出口側端部へと流動し、第１空間Ｅ１に流れ込む。このように、本実施の形態３においては、実施の形態１や実施の形態２のように送風ファン９０を設けることなく自然対流により空気を流動させることができる。
【００６４】
このように空気の流れが形成される事で、熱交換器６０にて除湿冷却された空気が角パイプ１５０の内部空間を流動するので、角パイプ１５０の内部空間の空気に照明装置３０の顕熱を回収させることができ、植物５の周辺の温度を植物５の育成に適正な温度とする事ができる。この際に、送風ファン９０の如き送風手段を設けることなく自然対流によって空気を流動させる事ができるので、送風ファン９０の稼働や設置に要する手間や費用を削減する事ができる。なお、角パイプ１５０の内部空間にて、空気が照明装置３０の顕熱を回収して密度が低下することにより、第２空間Ｅ２から第１空間Ｅ１に至る自然対流を妨げる可能性がある。しかしこの場合であっても、適宜条件（例えば、熱交換器６０の稼働量や、照明装置３０の数や、角パイプ１５０の傾斜角、長さ、断熱仕様等）を設定する事により、このような顕熱回収による空気の流動を妨げる作用を軽減することができる。なお、このような条件として最適な条件については、実験や解析等で求める事が可能である。以上にて、本実施の形態３に係る空調システム１３０の作用の説明を終了する。
【００６５】
（実施の形態３の効果）
このように、本実施の形態３に係る空調システム１３０によれば、極めて簡素な構成により、送風手段を用いることなく、角パイプ１５０の内部空間の空気に照明装置３０の顕熱を回収させる事ができ、送風手段の稼働や設置に要する手間や費用を削減する事ができる。
【００６６】
また、第２空間Ｅ２における空気の出口を、第２空間Ｅ２における空気の入口よりも低い位置に配置することによって第２空間Ｅ２の空気を流動させるので、第２空間における空気を流動させるための送風ファン９０等の送風手段を設ける事なく空気を流動させる事ができ、送風手段の稼働やメンテナンスに手間や費用を削減する事が可能となる。
【００６７】
（実施の形態４）
次に、実施の形態４について説明する。ただし、特に説明なき構成においては実施の形態３と同様であるものとして説明を省略し、実施の形態３と同様の構成要素には、必要に応じて、実施の形態３で使用したものと同一の符号を付する。
【００６８】
（構成）
最初に、本実施の形態４に係る空調システム２００の構成を説明する。空調システム２００は、複数の植物栽培棚２を備えて構成されており、植物栽培棚２には植物栽培装置２１０が形成されている。図７は、本実施の形態４に係る植物栽培装置２１０を概略的に示す正面図である。
【００６９】
そして、図７に示すように、植物栽培装置２１０は、培養液２０、照明装置３０、冷媒冷却器４０、冷媒管５０、熱交換器６０、ドレン回収供給部７０、及び角パイプ２２０を備えて構成されている。なお、以上の角パイプ２２０以外の各構成要素については、実施の形態３と同様に構成されているため説明を省略する。
【００７０】
（構成−角パイプ）
角パイプ２２０は、第１空間Ｅ１と第２空間Ｅ２とを相互に区画する区画手段であって、この角パイプ２２０の内部空間が第２空間Ｅ２として構成され、植物栽培装置２１０の内部における角パイプ２２０の外部空間（植物５が配置された空間）が第１空間Ｅ１として構成される。この角パイプ２２０は、植物栽培装置２１０の内部における植物５の上方に、幅方向に略沿って配置されており、出口側端部が植物栽培棚２の内面に接触しないように配置され、入口側端部が熱交換器６０の周辺に配置されている。ここで、この角パイプ２２０は中途部分にて下方に折り曲げられており、その先で再度水平に折り曲げられていることにより、入口側端部よりも出口側端部が低い位置に配置されており、このことによって実施の形態３と同様に空気の流れを形成する事ができる。
【００７１】
ここで、角パイプ２２０の熱交換器６０側の端部は、熱交換器６０で冷却されて下方へ向かう空気を角パイプ２２０の内部に取り入れつつ、熱交換器６０で発生したドレンがドレン受け部７１に落ちるような工夫が施されている。具体的には、図７に示すように、角パイプ２２０の下方の側面が熱交換器６０の下方にまで伸びており、この伸びている部分に傾斜が設けられており、傾斜を降りた先には角パイプ２２０を上下に貫通するパイプ孔２２１が形成されている。このような構成により、熱交換器６０で冷却されて下方へ向かう空気は角パイプ２２０の下方の側面を伝って角パイプ２２０の内部に取り入れられ、ドレンは傾斜を降りて、パイプ孔２２１から落ちてドレン受け部７１に回収される。
【００７２】
なお、本実施の形態４に係る空調システム２００の作用については、実施の形態３と同様に説明できるので、説明を省略する。
【００７３】
（実施の形態４の効果）
このように、本実施の形態に係る空調システム２００によれば、極めて簡素な構成により、送風手段を用いることなく、角パイプ２２０の内部空間の空気に照明装置３０の顕熱を回収させる事ができ、送風手段の稼働や設置に要する手間や費用を削減する事ができる。
【００７４】
また、第２空間Ｅ２における空気の出口を、第２空間Ｅ２における空気の入口よりも低い位置に配置することによって第２空間Ｅ２の空気を流動させるので、第２空間における空気を流動させるための送風ファン９０等の送風手段を設ける事なく空気を流動させる事ができ、送風手段の稼働やメンテナンスに手間や費用を削減する事が可能となる。
【００７５】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、各実施の形態に係る空調システム１、１００、１３０、２００によって、冷却手段の負荷を低減する事ができなかったり、第１空間Ｅ１の全体に適正な温度の空気を提供する事ができなかったりした場合であっても、従来と異なる技術により空調ができている場合には、本願発明の課題が解決されている。
【００７７】
（寸法や材料について）
発明の詳細な説明や図面で説明した空調システム１、１００、１３０、２００の各部の寸法、形状、材料、比率等は、あくまで例示であり、その他の任意の寸法、形状、材料、比率等とすることができる。
【００７８】
（空調システムについて）
各実施の形態においては、空調システム１、１００、１３０、２００は、植物５を栽培するための空調システムであるものとして説明したが、これに限らず、空調が必要なあらゆる対象に関して当該空調システム１、１００、１３０、２００を適用することができる。図８は、第１の変形例に係る空調システム３００を概略的に示す正面図である。この図８に示すように、例えば、人３１０やＯＡ機器３２０等が存在するオフィス空間を第１空間Ｅ１とし、照明装置３０を上述した人３１０やＯＡ機器３２０等を照らす照明として用い、照明装置３０の顕熱を角パイプ８０の内部の第２空間Ｅ２で回収するシステムとして構成しても良い。この際に、本変形例においては、角パイプ８０の内部を第２空間Ｅ２として図示したが、天井チャンバー（図示省略）を第２空間Ｅ２としても良い。
【００７９】
（照明手段について）
各実施の形態では、照明手段を角パイプ８０、１５０、２２０の外表面における下面や、遮蔽板１２０の下面に設置したが、これに限らず、第１空間Ｅ１に光を照射する事が可能な限りにおいて任意の位置に設置して構わない。例えば、角パイプ８０、１５０、２２０の外表面における上面や側面、角パイプ８０、１５０、２２０の内表面、遮蔽板１２０の上面、又は植物栽培棚２の上面等に設置しても良い。この際に、照明装置３０と植物５との間に何らかの部材（例えば角パイプ８０、１５０、２２０）がある場合には、この部材を透明度の高い部材とする事が一層好ましい。
【００８０】
（熱交換器について）
各実施の形態では、熱交換器６０を植物栽培装置１０、１１０、１４０、２１０の内部に配置したが、これに限らず、第２空間Ｅ２に冷却空気を供給可能である限り任意の位置に熱交換器６０を配置しても良い。例えば、熱交換器６０を植物栽培棚２の外部の空間に配置し、熱交換器６０にて冷却された空気を、公知のダクトを介して、角パイプ８０、１５０、２２０の入口側端部に送り込んでも良い。
【００８１】
（ドレン回収供給部について）
各実施の形態では、ドレン回収供給部７０は、ドレン受け部７１とドレン配管７２を備えて構成されるものとして説明したが、ドレンを回収して植物５に供給する事が可能である限りにおいて、このような構成に限定されない。例えば、熱交換器６０の下方の位置に配置した板状体であって、熱交換器６０から植物５の根元に至る斜面を形成する板状体として形成しても構わない。
【００８２】
（植物栽培棚について）
各実施の形態では、植物栽培棚２は床に対して固定的に載置されているものとして説明したが、これに限られない。例えば、植物栽培棚２を床に対して移動可能に形成しても構わない。図９は、第２の変形例に係る植物栽培システム４００を示す斜視図である。この図９に示すように、第２の変形例に係る植物栽培システム４００は、植物栽培棚４１０、車輪３、及びレール４を備えている。なお、植物栽培棚４１０は、形状を除いて各実施の形態の植物栽培棚２と同様に構成する事ができるので、詳細な説明を省略する。
【００８３】
（構成−車輪）
車輪３は、植物栽培棚４１０を移動させるための移動手段である。この車輪３は、各植物栽培棚４１０の底部における右端部周辺、及び左端部周辺の位置に、回動可能に設置された公知のローラーである。具体的には、これら左右の車輪３の相互間の間隔は、後述する２つのレール４の相互間の間隔と相互に一致しており、各車輪３は、レール４の上を回動自在に形成されている。
【００８４】
ここで、図１０は、植物栽培棚４１０を前方に移動させた際の植物栽培システム４００を示す斜視図である。この図１０に示すように、各植物栽培棚４１０の底部に設置された車輪３がレール４の上を回動自在に形成されていることにより、各植物栽培棚４１０をレール４の敷設された方向（図１０では奥行き方向）に沿って自在に移動させることができる。例えば、図１０に示すように、ユーザが植物栽培棚４１０を前方に引くことにより、車輪３がレール４の上を回動し、植物栽培棚４１０を前方に移動させる事ができる。同様に、ユーザが植物栽培棚４１０を後方に押すことにより、車輪３がレール４の上を回動し、植物栽培棚４１０を後方に移動させる事ができる。なお、このようにユーザが植物栽培棚４１０を引く又は押す事により手動で植物栽培棚４１０を移動させる事に限らず、車輪３を電動で移動させる事により自動で植物栽培棚４１０を移動させても構わない。また、植物栽培棚４１０の側面に設けられた図示しないハンドルをユーザが回すことにより、ハンドルの回転が車輪３に伝わって車輪３が回動し、植物栽培棚４１０が稼働する機構としても良い。
【００８５】
このように、ユーザは、いずれかの植物栽培棚４１０を、他の植物栽培棚４１０に対して相互に密着した状態（図９の状態）、又は相互に離間した状態（図１０の状態）に自在に切換える事ができる。したがって、通常時は、植物栽培棚４１０を相互に密着した状態としておくことで、極めて省スペースの植物栽培システム４００を構築できると共に、メンテナンス時には、植物栽培棚４１０を相互に離間した状態とすることで、植物栽培棚４１０の相互間に入り込んでメンテナンスを行う事ができる。
【００８６】
（構成−レール）
レール４は、植物栽培棚４１０の移動方向を決定するためのガイド手段である。レール４は床面の２か所に形成されており、各レール４はいずれも奥行き方向に沿って敷設された公知のレールである。なお、レール４の本数は任意であり、植物栽培棚４１０の重量に基づいて決定して構わないが、植物栽培棚４１０を安定した状態で移動させるためには、少なくとも２本以上である事が望ましい。また、レール４の敷設方向は任意であり、本第２の変形例のような奥行き方向に限らず幅方向に沿って敷設されていても構わず、また、湾曲するように敷設されていても構わない。
【００８７】
本第２の変形例によれば、複数の植物栽培装置１０のうちいずれかの植物栽培装置１０を、複数の植物栽培装置１０のうち他の植物栽培装置１０に対して相互に密着した状態、又は相互に離間した状態に切換え可能に移動させるための車輪３を備えるので、植物栽培装置１０の両側方にスペースを要さない極めて省スペースの植物栽培システム４００を構築できると共に、メンテナンス時等には植物栽培装置１０の両側方にスペースを形成することで、ユーザが通行可能なスペースを容易に形成する事が可能となる。
【００８８】
（付記）
付記１の空調システムは、第１空間から、第２空間を介して、前記第２空間以外の空間へと空気を流動させる空調システムであって、前記第１空間と前記第２空間とを相互に区画する区画手段と、前記第１空間に光を照射する照明手段と、前記第１空間から前記第２空間に至る空気を冷却する冷却手段と、を備え、前記第２空間を流動する空気に前記照明手段の顕熱を回収させる事を可能とした。
【００８９】
付記２の空調システムは、付記１に記載の空調システムにおいて、前記区画手段は、中空の管状体であり、前記第２空間は、前記管状体の内部空間であり、前記照明手段を前記管状体の外表面又は内表面に設置することにより、前記管状体の内部空間を流動する空気に前記照明手段の顕熱を回収させる事を可能とした。
【００９０】
付記３の空調システムは、付記１又は２に記載の空調システムにおいて、前記第２空間における空気の出口を、前記第２空間における空気の入口よりも低い位置に配置することによって、前記第２空間における空気の流動を可能とした。
【００９１】
付記４の空調システムは、付記１から３のいずれか一項に記載の空調システムにおいて、前記第２空間を流動することによって前記照明手段の顕熱を回収した空気を、前記第２空間以外の空間へと送風する送風手段を備える。
【００９２】
付記５の空調システムは、付記１から４のいずれか一項に記載の空調システムにおいて、前記第１空間には植物が配置され、前記照明手段は、前記植物に光を照射する。
【００９３】
（付記の効果）
付記１に記載の空調システムによれば、冷却手段にて除湿冷却されて第２空間を流動する空気に、照明手段の顕熱を回収させるので、第１空間における照明装置の顕熱を低減することにより第１空間から冷却手段に至る空気の温度を低減する事ができ、送風手段や冷却手段の負荷を低減することが可能であると共に、第１空間の全体に適正な温度の空気を提供する事が可能となる。また、第１空間から、第２空間を介して、第１空間へと空気を流動させる場合には、加熱器等の加熱手段を設ける事無く照明装置の顕熱を利用して第１空間に適切な温度の空気を提供することができるので、加熱手段の稼働やメンテナンスに手間や費用を削減する事が可能となる。
【００９４】
付記２に記載の空調システムによれば、照明手段を管状体の外表面又は内表面に設置するので、極めて簡素な構成により第２空間を流動する空気に顕熱を回収させる事が可能となる。
【００９５】
付記３に記載の空調システムによれば、第２空間における空気の出口を、第２空間における空気の入口よりも低い位置に配置することによって第２空間の空気を流動させるので、第２空間における空気を流動させるためのファン等の送風手段を設ける事なく空気を流動させる事ができ、送風手段の稼働やメンテナンスに手間や費用を削減する事が可能となる。
【００９６】
付記４に記載の空調システムによれば、送風手段を備えるので、極めて簡素な構成により第２空間に空気を流動させる事が可能となる。
【００９７】
付記５に記載の空調システムによれば、第１空間には植物が配置され、照明手段はこの植物に光を照射するので、植物の育成に適した環境を構築する事が可能となる。
【符号の説明】
【００９８】
１  空調システム
２  植物栽培棚
２ａ  区画部材
３  車輪
４  レール
５  植物
１０  植物栽培装置
２０  培養液
２１  培養トレイ
３０  照明装置
３１  ＬＥＤ
３２  電源回路
４０  冷媒冷却器
５０  冷媒管
６０  熱交換器
７０  ドレン回収供給部
７１  ドレン受け部
７２  ドレン配管
８０  角パイプ
９０  送風ファン
１００  空調システム
１１０  植物栽培装置
１２０  遮蔽板
１２１  貫通孔
１３０  空調システム
１４０  植物栽培装置
１５０  角パイプ
１５１  パイプ孔
２００  空調システム
２１０  植物栽培装置
２２０  角パイプ
２２１  パイプ孔
３００  植物栽培システム
３１０  人
３２０  ＯＡ機器
４００  植物栽培システム
４１０  植物栽培棚
Ｅ１  第１空間
Ｅ２  第２空間
【図１】
2016138723.tif 000003
【図２】
2016138723.tif 000004
【図３】
2016138723.tif 000005
【図４】
2016138723.tif 000006
【図５】
2016138723.tif 000007
【図６】
2016138723.tif 000008
【図７】
2016138723.tif 000009
【図８】
2016138723.tif 000010
【図９】
2016138723.tif 000011
【図１０】
2016138723.tif 000012
【図１１】
2016138723.tif 000013